(57)【要約】【課題】  小児券の不正利用の発生を防止するとともに、身長の高い小学生が通過できない等の不都合の発生を防止する。【解決手段】  幼児検出用反射式センサ（４）と、通行者の身長が、小学６年生と中学１年生の身長分布から算出された境界身長以上か否かを検出する小児検出用反射式センサ（４）と、幼児検出用及び小児検出用反射式センサによる検出結果に基づいて、割引運賃が適用される小児券利用可能者であるか否かを判定し、判定結果に基づいて自動改札機のドアーの開閉を制御する制御手段（１１）とを備え、前記制御手段は、小児券利用者が境界身長より低いとき、自動改札機のドアーを開いて通行可とし、小児券利用者が境界身長より高いとき、特定パターンに該当するか否か判定し、特定パターンに該当する場合自動改札機のドアーを開いて通行可とする。【選択図】        図３
2006268236.tif 000002
【特許請求の範囲】
【請求項１】
通行者の通過有無を検知する透過式センサと、無賃乗車可能な小学１年生未満と運賃が必要な大人とを区別するため通行者の身長を検知する幼児検出用反射式センサを有する自動改札機において、
さらに、通行者の身長が、小学６年生と中学１年生の身長分布から算出された境界身長以上か否かを検出する小児検出用反射式センサと、
幼児検出用及び小児検出用反射式センサによる検出結果に基づいて、割引運賃が適用される小児券利用可能者であるか否かを判定し、判定結果に基づいて自動改札機のドアーの開閉を制御する制御手段とを備え、
前記制御手段は、カード利用者が境界身長より低いとき、自動改札機のドアーを開いて通行可能とし、小児券利用者が境界身長より高いとき、特定パターンに該当するか否か判定し、特定パターンに該当する場合自動改札機のドアーを開いて通行可能とすることを特徴とする自動改札機における小児券不正利用防止システム。
【請求項２】
請求項１において、前記制御手段は、乗車券発売時または過去に境界身長より高いと認定された小学１年生〜小学６年生であることを乗車券から検出した時、前記特定パターンに該当すると判定することを特徴とする自動改札機における小児券不正利用防止システム。
【請求項３】
請求項１において、前記制御手段は、透過式センサ、幼児検出用反射式センサ及び小児検出用反射式センサから小児に大人が同行していることが検出され、小児が大人券、大人が小児券を利用している場合、前記特定パターンに該当すると判定することを特徴とする自動改札機における小児券不正利用防止システム。
【請求項４】
請求項３において、前記制御手段は、入場時、出場時とも大人が小児券を利用した場合、通行不可とすることを特徴とする自動改札機における小児券不正利用防止システム。
【請求項５】
請求項１において、前記制御手段は、身障者が小児券を利用したことが検出されたとき、前記特定パターンの条件を満たしていると判定することを特徴とする自動改札機における小児券不正利用防止システム。
【発明の詳細な説明】
【技術分野】
【０００１】
本発明は自動改札機における小児券不正利用防止システムに関する。
【背景技術】
【０００２】
乗車券には割引運賃が適用される小児券が存在する。この小児券は就学児から小学６年生までの児童を対象としたもので、これ以外の旅客が使用することはできない。しかし、大人でありながら割安の小児券を使用する不正利用が多数発生している。
この対策として、複数の自動改札機が設置されている駅において、小児券による通過が不可能な自動改札機と、小児券による通過が可能な自動改札機を設定しておき、自動改札機に小児券が投入されたとき、投入した人間の身体的特徴（身長、体重）を測定して小児か否か判定し、小児と区分されない場合、小児券による通過が可能な他の自動改札機を案内するようにしたものが提案されている（特許文献１）。
また、大人と小児を区別する身長を設定しておき、反射式センサで通行者の身長を検出し、検出した身長から大人と判定された人が小児券を利用した場合は通行を阻止するようにしたものも提案されている（特許文献２）。
【特許文献１】特開２００２−３５８５４７号公報
【特許文献２】特開２００３−１５７４５３号公報
【発明の開示】
【発明が解決しようとする課題】
【０００３】
特許文献１の方法では、小児券の利用者が大人であっても最終的には自動改札機を通過できてしまうため割安の小児券を使用する不正利用の発生を防止することはできない。また、特許文献２では身長により一律的に小児か大人かの区別をしてしまうため、身長の高い小学生が通過できないとう不都合が発生する。
【課題を解決するための手段】
【０００４】
本発明は上記課題を解決しようとするもので、小児券の不正利用の発生を防止するとともに、大人と判定された場合でも特定パターンの条件を満たす場合には通行可能にして身長の高い小学生が通過できない等の不都合の発生を防止することを目的とする。
そのために本発明は、通行者の通過有無を検知する透過式センサと、無賃乗車可能な小学１年生未満と運賃が必要な大人とを区別するため通行者の身長を検知する幼児検出用反射式センサを有する自動改札機において、
さらに、通行者の身長が、小学６年生と中学１年生の身長分布から算出された境界身長以上か否かを検出する小児検出用反射式センサと、
幼児検出用及び小児検出用反射式センサによる検出結果に基づいて、割引運賃が適用される小児券利用可能者であるか否かを判定し、判定結果に基づいて自動改札機のドアーの開閉を制御する制御手段とを備え、
前記制御手段は、カード利用者が境界身長より低いとき、自動改札機のドアーを開いて通行可能とし、小児券利用者が境界身長より高いとき、特定パターンに該当するか否か判定し、特定パターンに該当する場合自動改札機のドアーを開いて通行可能とすることを特徴とする自動改札機における小児券不正利用防止システム。
【発明の効果】
【０００５】
本発明は、小児券の不正利用の発生を防止することが可能であるとともに、大人と判定された場合でも特定パターンの条件を満たす場合には通行可能にして身長の高い小学生が通過できない等の不都合の発生を防止することができる。
【発明を実施するための最良の形態】
【０００６】
以下、本発明の実施の形態について説明する。
図１は本発明の一実施形態の自動改札機の外観図である。自動改札機は一対の筐体として駅の改札口等に設置され、各筐体間に通行者が通行する通路を形成するものであり、図では一方の筐体のみ示している。
【０００７】
自動改札機１の本体側面には、複数の透過式センサ２が設けられており、通行者の通行状況を検出し、通行者の接近度合い等から親子連れか否か等判定可能である。また、半透明のカバー３には複数の反射式センサ４が設けられている。自動改札機１の上部カバー５の一端部には、乗車券等を投入する投入口及び非接触ＩＣカードの読み取り部６が設けられ、ここに投入された、または読み取られた乗車券は内部の処理装置により各種処理が行われる。投入された乗車券等は放出口７より放出されて通行者に返却される。上部カバー５の両端側には案内表示部８が設けられ、また、自動改札機の側面には、通行者の通行を阻止するドア９が、通路の入口付近と出口付近の２箇所に設けられ、これを開閉することにより通行者の通行を制御している。
【０００８】
図２に示すように、反射式センサ４は対向する両筐体に一対、通行者を見上げるような角度で設置されて通行者の身長を検出している。この一対の反射式センサで通行者を検出すれば、そこに所定の身長以上の通行者がいると判定される。本実施形態の反射式センサ４は、身長１２６ｃｍ以上か否か検出し、１２６ｃｍ未満の場合は無賃乗車可能な小学１年生未満の幼児と判定する幼児検出用反射式センサと、小学６年生と中学１年生の身長分布から算出された境界身長Ａ以上か否かを検出する小児検出用反射式センサとから構成されて、通行者の身長が１２６ｃｍ〜境界身長Ａであると検出された場合は、小児券での通過が可能である。境界身長Ａは、例えば、文部科学省学校保健統計部調査速報の小学６年生と中学１年生の平均身長と標準偏差値のデータから算出する。なお、図１では３つの反射式センサが図示されているが、これらの中から幼児検出用反射式センサと、小児検出用反射式センサを割り当てるか、或いは個数を増やしてそれぞれ複数の幼児検出用反射式センサ、小児検出用反射式センサを設けるようにしてもよい。
【０００９】
図３は本実施形態のシステムで使用する自動改札機の構成を示すブロック図である。
制御装置１１はデータ処理機能と制御機能を有するＣＰＵ等から構成される装置であり、透過式センサ２、反射式センサ４から読み込んだ通行者の身長、読み取り／書き込み部１３から読み取った乗車券類のデータ、メモリ１２に保持している特定パターンとから通行可／不可を判定し、表示装置８の案内表示、ドアー９の開閉制御、スピーカ１４を通しての音声案内を行っている。なお、この判定のタイミングは、入場時及び出場時どちらでも行う。
【００１０】
本実施形態では反射式センサ４で通行者の身長が境界身長Ａ以上か否か検出して小学６年生以下と大人との区別を行い、大人と判定した場合で、小児券を使用していた場合は通過を阻止して不正利用を防止する。しかし、境界身長Ａ以上であっても、実際は小児券が利用できる場合や、小児券の利用が妥当の場合があり、これを特定パターンとして保持しており、特定パターンの条件を満たす場合には通過可能としている。
【００１１】
図４に示すように、メモリに保持している特定パターンは、例えば、小学生で境界身長Ａ以上、小児券と大人券の組み合わせ利用、身障者の場合である。
小学生で境界身長Ａ以上の場合とは、例えば乗車券の発売時、又は一度自動改札機で通過を阻止され、その際に境界身長Ａ以上と判定された場合であり、例えば、ＩＣカード通行券の場合であれば、小児券不正利用チェック対象外ビットをＯＮにして通行可とする。
小児券と大人券の組み合わせ利用とは、透過式センサと反射式センサとから小児に大人が同行していると判定された場合で、小児が大人券、大人が小児券を利用した場合である。この場合はドアーを開いて通行可の制御を行うが、同時に表示や音声で、大人、小児の区分に応じて利用するように案内する。この場合は、乗車券に記録を残しておき、出場時も同様の利用となった場合には、不正利用と判定して通行不可とする。なお、小児に大人が同行しているとの判定においては、通常、小児が大人に先行して通過するので、そのような場合は小児に大人が同行としていると判断するようにしてもよい。
身障者が小児券を利用する場合は、エドモンソン券（小さい切符）を使用することが大半であるため、エドモンソン券は本システムの判定の対象券種から外している。
【００１２】
図５は制御装置における小児券処理フローを示す図である。
通行者が乗車券類を自動改札機に投入またはかざすと、そのデータを読み取り（ステップＳ１）、小児券か否か判定する（ステップＳ２）。小児券でなければ別の処理を行って、有効期限外等の不具合がなければドアーを開いて通行可とし、小児券であれば反射式センサにより検出した身長を読み取り（ステップＳ３）、１２６ｃｍ以上か否か判定する（ステップＳ４）。１２６ｃｍ未満の場合は無賃乗車可能な幼児であるためドアーを開いて通行可とし、１２６ｃｍ以上の場合は境界身長Ａ以上か否か判定する（ステップＳ５）。境界身長Ａ未満の適正な小児券利用と判定し、ドアーを開いて通行可とする。境界身長Ａ以上の場合は、特定パターンの判定処理を行い（ステップＳ６）、特定パターンに該当する場合にはドアーを開いて通行可とし、特定パターンに該当しない場合は、不正利用と判定し、ドアーを閉じて通行不可とする。
【産業上の利用可能性】
【００１３】
本発明によれば、小児券の不正利用の発生を防止することが可能であるので産業上の利用価値は大きい。
【図面の簡単な説明】
【００１４】
【図１】本発明の一実施形態の自動改札機の外観図である。
【図２】反射式センサを説明する図である。
【図３】自動改札機の構成を示すブロック図である。
【図４】特定パターンを説明する図である。
【図５】小児券処理フローを示す図である。
【符号の説明】
【００１５】
１…自動改札機、２…透過式センサ、４…反射式センサ、８…案内表示部、９…ドア、１１…制御装置、１２…メモリ、１３…読み取り／書き込み部、１４…スピーカ。
【図１】
2006268236.tif 000003
【図２】
2006268236.tif 000004
【図３】
2006268236.tif 000005
【図４】
2006268236.tif 000006
【図５】
2006268236.tif 000007